(57)【特許請求の範囲】
【請求項１】
メディアＩＤ、並びに画像ＩＤ及び画像を記録している記録メディアと、
前記記録メディアに記録されている画像を注文させるべく画像を表示する画像表示装置と、
前記記録メディアに記録されている画像の注文を管理する注文管理装置と
を備える画像管理システムであって、
前記注文管理装置は、
前記記録メディアを識別するメディアＩＤ、及び当該メディアＩＤで識別される前記記録メディアに記録されている複数の画像のそれぞれを識別する複数の画像ＩＤに対応づけて、当該メディアＩＤ及び当該画像ＩＤによって識別される画像の注文履歴を格納する注文履歴格納部と
を有し、
前記画像表示装置は、
前記記録メディアに記録されている複数の画像を取得する画像取得部と、
前記画像取得部が取得した複数の画像を識別するメディアＩＤ及び画像ＩＤを取得するＩＤ取得部と、
前記ＩＤ取得部が取得したメディアＩＤ及び画像ＩＤに対応づけて前記注文履歴格納部が格納している画像の注文履歴を取得する注文履歴取得部と、
前記注文履歴取得部が取得した注文履歴で示される注文回数に応じて、前記画像取得部が取得した複数の画像のそれぞれが表示される大きさを決定する表示態様決定部と、
前記表示態様決定部が複数の画像のそれぞれについて決定した大きさで、前記複数の画像を表示する画像表示部と
を有する画像管理システム。
【請求項２】
前記表示態様決定部は、前記画像取得部が取得した複数の画像のそれぞれが前記画像表示部により表示される大きさを、前記注文履歴取得部が取得した注文履歴で示される注文回数がより多い場合により大きく決定する
請求項１に記載の画像管理システム。
【請求項３】
前記画像表示部は、前記画像取得部が取得した複数の画像を順次表示し、
前記表示態様決定部は、前記注文履歴取得部が取得した注文履歴が示す注文回数に応じて、前記画像取得部が取得した複数の画像のそれぞれが前記画像表示部により表示される表示時間を決定する
請求項１または２に記載の画像管理システム。
【請求項４】
メディアＩＤ、並びに画像ＩＤ及び画像を記録している記録メディアと、
前記記録メディアに記録されている画像を注文させるべく画像を表示する画像表示装置と、
前記記録メディアに記録されている画像の注文を管理する注文管理装置と
を備える画像管理システムであって、
前記注文管理装置は、
前記記録メディアを識別するメディアＩＤ、及び当該メディアＩＤで識別される前記記録メディアに記録されている複数の画像のそれぞれを識別する複数の画像ＩＤに対応づけて、当該メディアＩＤ及び当該画像ＩＤによって識別される画像の注文履歴を格納する注文履歴格納部と
を有し、
前記画像表示装置は、
前記記録メディアに記録されている複数の画像を取得する画像取得部と、
前記画像取得部が取得した複数の画像を識別するメディアＩＤ及び画像ＩＤを取得するＩＤ取得部と、
前記ＩＤ取得部が取得したメディアＩＤ及び画像ＩＤに対応づけて前記注文履歴格納部が格納している画像の注文履歴を取得する注文履歴取得部と、
前記注文履歴取得部が取得した注文履歴で示される注文回数に応じて、前記画像取得部が取得した複数の画像のそれぞれが表示される表示時間を決定する表示態様決定部と、
前記複数の画像を順次、前記表示態様決定部が複数の画像のそれぞれについて決定した表示時間の間、表示する画像表示部と
を有する画像管理システム。
【請求項５】
前記表示態様決定部は、前記画像取得部が取得した複数の画像のそれぞれが前記画像表示部により表示される表示時間を、前記注文履歴取得部が取得した注文履歴で示される注文回数がより多い場合により長く決定する
請求項３又は４に記載の画像管理システム。
【請求項６】
メディアＩＤ、並びに画像ＩＤ及び画像を記録している記録メディアと、
前記記録メディアに記録されている画像を注文させるべく画像を表示する画像表示装置と、
前記記録メディアに記録されている画像の注文を管理する注文管理装置と
を備える画像管理システムであって、
前記注文管理装置は、
前記記録メディアを識別するメディアＩＤ、及び当該メディアＩＤで識別される前記記録メディアに記録されている複数の画像のそれぞれを識別する複数の画像ＩＤに対応づけて、当該メディアＩＤ及び当該画像ＩＤによって識別される画像の注文履歴を格納する注文履歴格納部と
を有し、
前記画像表示装置は、
前記記録メディアに記録されている複数の画像を取得する画像取得部と、
前記画像取得部が取得した複数の画像を識別するメディアＩＤ及び画像ＩＤを取得するＩＤ取得部と、
前記ＩＤ取得部が取得したメディアＩＤ及び画像ＩＤに対応づけて前記注文履歴格納部が格納している画像の注文履歴を取得する注文履歴取得部と、
前記画像取得部が取得した複数の画像のそれぞれが順次表示される順番を、前記注文履歴取得部が取得した注文履歴で示される注文回数に関する降順又は昇順で決定する表示態様決定部と、
前記表示態様決定部が複数の画像のそれぞれについて決定した順番で、前記複数の画像を順次表示する画像表示部と
を有する画像管理システム。
【請求項７】
前記注文管理装置は、画像を格納しておらず、
前記記録メディアに記録されている画像を、注文依頼とともに、前記画像表示装置から取得する注文画像取得部と、
前記注文画像取得部が取得した画像をプリントさせるプリント制御部と
をさらに有する
請求項１から６のいずれか１項に記載の画像管理システム。
【請求項８】
前記注文管理装置は、画像の所有者の個人情報を格納しておらず、
前記注文画像取得部が取得した画像のプリント画像の納入先を、注文依頼とともに、前記画像表示装置から取得する納入先取得部と、
前記納入先取得部が取得した納入先に、前記プリント制御部がプリントした画像を納入させるプリント画像納入制御部と
をさらに有する
請求項７に記載の画像管理システム。
【請求項９】
前記画像表示装置は、
前記注文履歴取得部が取得した注文履歴に基づいて、前記画像取得部が取得した複数の画像のそれぞれのプリント料金を決定するプリント料金決定部
をさらに有し、
前記画像表示部は、前記プリント料金決定部が複数の画像のそれぞれについて決定したプリント料金を画像とともに表示する
請求項７に記載の画像管理システム。
【請求項１０】
前記画像表示装置は、
前記注文履歴取得部が取得した注文履歴に基づいて、前記画像取得部が取得した複数の画像に関して提供し得るサービスを決定するサービス決定部
をさらに有し、
前記画像表示部は、前記サービス決定部が複数の画像に関して決定したサービスを画像とともに表示する
請求項１から９のいずれか１項に記載の画像管理システム。
【請求項１１】
コンピュータを、請求項１から１０のいずれか１項に記載の画像管理システムとして機能させるためのプログラム。
【請求項１２】
画像表示装置が、メディアＩＤ、並びに画像ＩＤ及び画像を記録している記録メディアに記録されている画像を注文させるべく画像を表示する画像表示段階と、
注文管理装置が、前記記録メディアに記録されている画像の注文を管理する注文管理段階とを備える画像管理方法であって、
前記注文管理段階は、
前記記録メディアを識別するメディアＩＤ、及び当該メディアＩＤで識別される前記記録メディアに記録されている複数の画像のそれぞれを識別する複数の画像ＩＤに対応づけて、当該メディアＩＤ及び当該画像ＩＤによって識別される画像の注文履歴を格納する注文履歴格納段階
を有し、
前記画像表示段階は、
前記記録メディアに記録されている複数の画像を取得する画像取得段階と、
前記画像取得段階において取得された複数の画像を識別するメディアＩＤ及び画像ＩＤを取得するＩＤ取得段階と、
前記ＩＤ取得段階において取得されたメディアＩＤ及び画像ＩＤに対応づけて前記注文履歴格納段階において格納されている画像の注文履歴を取得する注文履歴取得段階と、
前記注文履歴取得段階において取得された注文履歴で示される注文回数に応じて、前記画像取得段階において取得された複数の画像のそれぞれが表示される大きさを決定する表示態様決定段階と、
前記表示態様決定段階において複数の画像のそれぞれについて決定された大きさで、前記複数の画像を表示する画像表示段階と
を有する画像管理方法。
【請求項１３】
画像表示装置が、メディアＩＤ、並びに画像ＩＤ及び画像を記録している記録メディアに記録されている画像を注文させるべく画像を表示する画像表示段階と、
注文管理装置が、前記記録メディアに記録されている画像の注文を管理する注文管理段階とを備え、
前記注文管理段階は、
前記記録メディアを識別するメディアＩＤ、及び当該メディアＩＤで識別される前記記録メディアに記録されている複数の画像のそれぞれを識別する複数の画像ＩＤに対応づけて、当該メディアＩＤ及び当該画像ＩＤによって識別される画像の注文履歴を格納する注文履歴格納段階
を有し、
前記画像表示段階は、
前記記録メディアに記録されている複数の画像を取得する画像取得段階と、
前記画像取得段階において取得された複数の画像を識別するメディアＩＤ及び画像ＩＤを取得するＩＤ取得段階と、
前記ＩＤ取得段階において取得されたメディアＩＤ及び画像ＩＤに対応づけて前記注文履歴格納段階において格納されている画像の注文履歴を取得する注文履歴取得段階と、
前記注文履歴取得段階において取得された注文履歴で示される注文回数に応じて、前記画像取得段階において取得された複数の画像のそれぞれが表示される表示時間を決定する表示態様決定段階と、
前記複数の画像を順次、前記表示態様決定段階において複数の画像のそれぞれについて決定された表示時間の間、表示する画像表示段階と
を有する画像管理方法。
【請求項１４】
画像表示装置が、メディアＩＤ、並びに画像ＩＤ及び画像を記録している記録メディアに記録されている画像を注文させるべく画像を表示する画像表示段階と、
注文管理装置が、前記記録メディアに記録されている画像の注文を管理する注文管理段階とを備え、
前記注文管理段階は、
前記記録メディアを識別するメディアＩＤ、及び当該メディアＩＤで識別される前記記録メディアに記録されている複数の画像のそれぞれを識別する複数の画像ＩＤに対応づけて、当該メディアＩＤ及び当該画像ＩＤによって識別される画像の注文履歴を格納する注文履歴格納段階
を有し、
前記画像表示段階は、
前記記録メディアに記録されている複数の画像を取得する画像取得段階と、
前記画像取得段階において取得された複数の画像を識別するメディアＩＤ及び画像ＩＤを取得するＩＤ取得段階と、
前記ＩＤ取得段階において取得されたメディアＩＤ及び画像ＩＤに対応づけて前記注文履歴格納段階において格納されている画像の注文履歴を取得する注文履歴取得段階と、
前記注文履歴取得段階において取得された注文履歴で示される注文回数に関する降順又は昇順で決定する表示態様決定段階と、
前記表示態様決定段階において複数の画像のそれぞれについて決定された順番で、前記複数の画像を順次表示する画像表示段階と
を有する画像管理方法。
【請求項１５】
記録メディアに記録されている複数の画像を取得する画像取得部と、
前記記録メディアを識別するメディアＩＤ及び当該メディアＩＤで識別される前記記録メディアに記録されている複数の画像のそれぞれを識別する複数の画像ＩＤを取得するＩＤ取得部と、
前記ＩＤ取得部が取得したメディアＩＤ及び画像ＩＤに対応づけて外部の注文管理装置が格納している複数の画像の注文履歴を取得する注文履歴取得部と、
前記注文履歴取得部が取得した注文履歴で示される注文回数に応じて、前記画像取得部が取得した複数の画像のそれぞれが表示される大きさを決定する表示態様決定部と、
前記表示態様決定部が複数の画像のそれぞれについて決定した大きさで、前記複数の画像を表示する画像表示部と
を備える画像表示装置。
【請求項１６】
記録メディアに記録されている複数の画像を取得する画像取得部と、
前記記録メディアを識別するメディアＩＤ及び当該メディアＩＤで識別される前記記録メディアに記録されている複数の画像のそれぞれを識別する複数の画像ＩＤを取得するＩＤ取得部と、
前記ＩＤ取得部が取得したメディアＩＤ及び画像ＩＤに対応づけて外部の注文管理装置が格納している複数の画像の注文履歴を取得する注文履歴取得部と、
前記注文履歴取得部が取得した注文履歴で示される注文回数に応じて、前記画像取得部が取得した複数の画像のそれぞれが表示される表示時間を決定する表示態様決定部と、
前記複数の画像を順次、前記表示態様決定部が複数の画像のそれぞれについて決定した表示時間の間、表示する画像表示部と
を備える画像表示装置。
【請求項１７】
記録メディアに記録されている複数の画像を取得する画像取得部と、
前記記録メディアを識別するメディアＩＤ及び当該メディアＩＤで識別される前記記録メディアに記録されている複数の画像のそれぞれを識別する複数の画像ＩＤを取得するＩＤ取得部と、
前記ＩＤ取得部が取得したメディアＩＤ及び画像ＩＤに対応づけて外部の注文管理装置が格納している複数の画像の注文履歴を取得する注文履歴取得部と、
前記注文履歴取得部が取得した注文履歴で示される注文回数に関する降順又は昇順で決定する表示態様決定部と、
前記表示態様決定部が複数の画像のそれぞれについて決定した順番で、前記複数の画像を表示する画像表示部と
を備える画像表示装置。
【請求項１８】
コンピュータを、請求項１５から１７のいずれか１項に記載の画像表示装置として機能させるためのプログラム。
【請求項１９】
画像取得部が、記録メディアに記録されている複数の画像を取得する画像取得段階と、
ＩＤ取得部が、前記記録メディアを識別するメディアＩＤ及び当該メディアＩＤで識別される前記記録メディアに記録されている複数の画像のそれぞれを識別する複数の画像ＩＤを取得するＩＤ取得段階と、
注文履歴取得部が、前記ＩＤ取得段階において取得されたメディアＩＤ及び画像ＩＤに対応づけて外部の注文管理装置が格納している複数の画像の注文履歴を取得する注文履歴取得段階と、
表示態様決定部が、前記注文履歴取得段階において取得された注文履歴で示される注文回数に応じて、前記画像取得段階において取得された複数の画像のそれぞれが表示される大きさを決定する表示態様決定段階と、
画面表示部が、前記表示態様決定段階において複数の画像のそれぞれについて決定された大きさで、複数の画像を表示する画像表示段階と
を備える画像表示方法。
【請求項２０】
画像取得部が、記録メディアに記録されている複数の画像を取得する画像取得段階と、
ＩＤ取得部が、前記記録メディアを識別するメディアＩＤ及び当該メディアＩＤで識別される前記記録メディアに記録されている複数の画像のそれぞれを識別する複数の画像ＩＤを取得するＩＤ取得段階と、
注文履歴取得部が、前記ＩＤ取得段階において取得されたメディアＩＤ及び画像ＩＤに対応づけて外部の注文管理装置が格納している複数の画像の注文履歴を取得する注文履歴取得段階と、
表示態様決定部が、前記注文履歴取得段階において取得された注文履歴で示される注文回数に応じて、前記画像取得段階において取得された複数の画像のそれぞれが表示される表示時間を決定する表示態様決定段階と、
画像表示部が、前記複数の画像を順次、前記表示態様決定段階において複数の画像のそれぞれについて決定された表示時間の間、表示する画像表示段階と
を備える画像表示方法。
【請求項２１】
画像取得部が、記録メディアに記録されている複数の画像を取得する画像取得段階と、
ＩＤ取得部が、前記記録メディアを識別するメディアＩＤ及び当該メディアＩＤで識別される前記記録メディアに記録されている複数の画像のそれぞれを識別する複数の画像ＩＤを取得するＩＤ取得段階と、
注文履歴取得部が、前記ＩＤ取得段階において取得されたメディアＩＤ及び画像ＩＤに対応づけて外部の注文管理装置が格納している複数の画像の注文履歴を取得する注文履歴取得段階と、
表示態様決定部が、前記注文履歴取得段階において取得された注文履歴で示される注文回数に関する降順又は昇順で決定する表示態様決定段階と、
画像表示部が、前記表示態様決定段階において複数の画像のそれぞれについて決定された順番で、前記複数の画像を表示する画像表示段階と
を備える画像表示方法。
【発明の詳細な説明】
【技術分野】
【０００１】
本発明は、画像管理システム、画像管理方法、画像表示装置、画像表示方法、及びプログラムに関する。特に、本発明は、画像を管理する画像管理システム及び画像管理方法、当該画像管理システムにおいて画像を表示する画像表示装置及び画像表示方法、並びに、当該画像管理システム又は画像表示装置用のプログラムに関する。
【背景技術】
【０００２】
サービスセンター、ラボ店等に設けられた画像蓄積サーバに画像データを保存するとともに、画像蓄積サーバとは異なるサーバに画像データの所有者等の顧客情報を登録する画像管理方法が知られている（例えば、特許文献１参照。）。この画像管理方法によって、各所に保存された画像のプリントを容易に注文することができる。
【特許文献１】特開２００５−１００２１４号公報
【発明の開示】
【発明が解決しようとする課題】
【０００３】
しかし、特許文献１による画像管理方法によると、画像データ、氏名等という顧客の個人的な情報をサービスセンター等に蓄積しなければならい。個人的な情報を外部に提供するのに抵抗感を持つ顧客にとっては、上記画像管理方法による注文システムは使いづらいという課題があった。画像を顧客側で管理する注文システムでは、膨大な数の画像を適切に管理しつつ、注文履歴に応じた注文環境を提供することができるシステムが望ましい。
【０００４】
そこで本発明は、上記課題を解決することができる画像管理システム、画像管理方法、画像表示装置、画像表示方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態によると、メディアＩＤ、並びに画像ＩＤ及び画像を記録している記録メディアと、記録メディアに記録されている画像を注文させるべく画像を表示する画像表示装置と、記録メディアに記録されている画像の注文を管理する注文管理装置とを備える画像管理システムであって、注文管理装置は、記録メディアを識別するメディアＩＤ、及び当該メディアＩＤで識別される記録メディアに記録されている複数の画像のそれぞれを識別する複数の画像ＩＤに対応づけて、当該メディアＩＤ及び当該画像ＩＤによって識別される画像の注文履歴を格納する注文履歴格納部とを有し、画像表示装置は、記録メディアに記録されている複数の画像を取得する画像取得部と、画像取得部が取得した複数の画像を識別するメディアＩＤ及び画像ＩＤを取得するＩＤ取得部と、ＩＤ取得部が取得したメディアＩＤ及び画像ＩＤに対応づけて注文履歴格納部が格納している画像の注文履歴を取得する注文履歴取得部と、注文履歴取得部が取得した注文履歴に応じて、画像取得部が取得した複数の画像のそれぞれの表示態様を決定する表示態様決定部と、表示態様決定部が複数の画像のそれぞれについて決定した表示態様で、複数の画像を表示する画像表示部とを有する。
【０００６】
表示態様決定部は、注文履歴取得部が取得した注文履歴で示される注文履歴に応じて、画像取得部が取得した複数の画像のそれぞれが表示部により表示される大きさを決定し、画像表示部は、表示態様決定部が複数の画像のそれぞれについて決定した大きさで、複数の画像を表示してよい。
【０００７】
表示態様決定部は、画像取得部が取得した複数の画像のそれぞれが表示部により表示される大きさを、注文履歴取得部が取得した注文履歴で示される注文回数がより多い場合により大きく決定してよい。
【０００８】
画像表示部は、画像取得部が取得した複数の画像を順次表示し、表示態様決定部は、注文履歴取得部が取得した注文履歴に応じて、画像取得部が取得した複数の画像のそれぞれが画像表示部により表示される表示時間を決定してよい。
【０００９】
表示態様決定部は、画像取得部が取得した複数の画像のそれぞれが画像表示部により表示される表示時間を、注文履歴取得部が取得した注文履歴で示される注文回数がより多い場合により長く決定してよい。
【００１０】
注文管理装置は、画像を格納しておらず、記録メディアに記録されている画像を、注文依頼とともに、画像表示装置から取得する注文画像取得部と、注文画像取得部が取得した画像をプリントさせるプリント制御部とをさらに有してよい。
【００１１】
注文管理装置は、画像の所有者の個人情報を格納しておらず、注文画像取得部が取得した画像のプリント画像の納入先を、注文依頼とともに、画像表示装置から取得する納入先取得部と、納入先取得部が取得した納入先に、プリント制御部がプリントした画像を納入させるプリント画像納入制御部とをさらに有してよい。
【００１２】
画像表示装置は、注文履歴取得部が取得した注文履歴に基づいて、画像取得部が取得した複数の画像のそれぞれのプリント料金を決定するプリント料金決定部をさらに有し、画像表示部は、プリント料金決定部が複数の画像のそれぞれについて決定したプリント料金を画像とともに表示してよい。
【００１３】
画像表示装置は、注文履歴取得部が取得した注文履歴に基づいて、画像取得部が取得した複数の画像に関して提供し得るサービスを決定するサービス決定部をさらに有し、画像表示部は、サービス決定部が複数の画像に関して決定したサービスを画像とともに表示してよい。
【００１４】
本発明の第２の形態によると、記録メディアと、メディアＩＤ、並びに画像ＩＤ及び画像を記録している記録メディアに記録されている画像を注文させるべく画像を表示する画像表示段階と、記録メディアに記録されている画像の注文を管理する注文管理段階とを備える画像管理方法であって、注文管理段階は、記録メディアを識別するメディアＩＤ、及び当該メディアＩＤで識別される記録メディアに記録されている複数の画像のそれぞれを識別する複数の画像ＩＤに対応づけて、当該メディアＩＤ及び当該画像ＩＤによって識別される画像の注文履歴を格納する注文履歴格納段階を有し、画像表示段階は、記録メディアに記録されている複数の画像を取得する画像取得段階と、画像取得段階において取得された複数の画像を識別するメディアＩＤ及び画像ＩＤを取得するＩＤ取得段階と、ＩＤ取得段階において取得されたメディアＩＤ及び画像ＩＤに対応づけて注文履歴格納段階において格納されている画像の注文履歴を取得する注文履歴取得段階と、注文履歴取得段階において取得された注文履歴に応じて、画像取得段階において取得された複数の画像のそれぞれの表示態様を決定する表示態様決定段階と、表示態様決定段階において複数の画像のそれぞれについて決定された表示態様で、複数の画像を表示する画像表示段階とを有する。
【００１５】
本発明の第３の形態によると、メディアＩＤ、並びに画像ＩＤ及び画像を記録している記録メディアと、記録メディアに記録されている画像を注文させるべく画像を表示する画像表示装置と、記録メディアに記録されている画像の注文を管理する注文管理装置とを備える画像管理システム用のプログラムであって、注文管理装置を、記録メディアを識別するメディアＩＤ、及び当該メディアＩＤで識別される記録メディアに記録されている複数の画像のそれぞれを識別する複数の画像ＩＤに対応づけて、当該メディアＩＤ及び当該画像ＩＤによって識別される画像の注文履歴を格納する注文履歴格納部として機能させ、画像表示装置を、記録メディアに記録されている複数の画像を取得する画像取得部、画像取得部が取得した複数の画像を識別するメディアＩＤ及び画像ＩＤを取得するＩＤ取得部、ＩＤ取得部が取得したメディアＩＤ及び画像ＩＤに対応づけて注文履歴格納部が格納している画像の注文履歴を取得する注文履歴取得部、注文履歴取得部が取得した注文履歴に応じて、画像取得部が取得した複数の画像のそれぞれの表示態様を決定する表示態様決定部、表示態様決定部が複数の画像のそれぞれについて決定した表示態様で、複数の画像を表示する画像表示部として機能させる。
【００１６】
本発明の第４の形態における画像表示装置は、記録メディアに記録されている複数の画像を取得する画像取得部と、記録メディアを識別するメディアＩＤ及び当該メディアＩＤで識別される記録メディアに記録されている複数の画像のそれぞれを識別する複数の画像ＩＤを取得するＩＤ取得部と、ＩＤ取得部が取得したメディアＩＤ及び画像ＩＤに対応づけて外部の注文管理装置が格納している複数の画像の注文履歴を取得する注文履歴取得部と、注文履歴取得部が取得した注文履歴に応じて、画像取得部が取得した複数の画像のそれぞれの表示態様を決定する表示態様決定部と、表示態様決定部が複数の画像のそれぞれについて決定した表示態様で、複数の画像を表示する画像表示部とを備える。
【００１７】
本発明の第５の形態における画像表示方法は、記録メディアに記録されている複数の画像を取得する画像取得段階と、記録メディアを識別するメディアＩＤ及び当該メディアＩＤで識別される記録メディアに記録されている複数の画像のそれぞれを識別する複数の画像ＩＤを取得するＩＤ取得段階と、ＩＤ取得段階において取得されたメディアＩＤ及び画像ＩＤに対応づけて外部の注文管理装置が格納している複数の画像の注文履歴を取得する注文履歴取得段階と、注文履歴取得段階において取得された注文履歴に応じて、画像取得段階において取得された複数の画像のそれぞれの表示態様を決定する表示態様決定段階と、表示態様決定段階において複数の画像のそれぞれについて決定された表示態様で、複数の画像を表示する画像表示段階とを備える。
【００１８】
本発明の第６の形態によると、画像表示装置用のプログラムであって、画像表示装置を、記録メディアに記録されている複数の画像を取得する画像取得部、記録メディアを識別するメディアＩＤ及び当該メディアＩＤで識別される記録メディアに記録されている複数の画像のそれぞれを識別する複数の画像ＩＤを取得するＩＤ取得部、ＩＤ取得部が取得したメディアＩＤ及び画像ＩＤに対応づけて外部の注文管理装置が格納している複数の画像の注文履歴を取得する注文履歴取得部、注文履歴取得部が取得した注文履歴に応じて、画像取得部が取得した複数の画像のそれぞれの表示態様を決定する表示態様決定部、表示態様決定部が複数の画像のそれぞれについて決定した表示態様で、複数の画像を表示する画像表示部として機能させる。
【００１９】
なお、上記の発明の概要は、本発明の必要な特徴の全てを列挙したものではなく、これらの特徴群のサブコンビネーションもまた、発明となりうる。
【発明の効果】
【００２０】
本発明によれば、ユーザの注文履歴に応じた効率的な画像注文環境を提供することができる。
【発明を実施するための最良の形態】
【００２１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２２】
図１は、この発明の一実施例に係る画像管理システム１００の利用環境の一例を示す。画像管理システム１００は、撮像装置１３０、画像表示装置１１０、注文管理装置１２０、及び記録メディア１６０を備える。画像表示装置１１０は、フォトショップ、コンビニエンスストア等の店舗１７０又はユーザ１９０の自宅１７１等に設けられる。注文管理装置１２０は、データセンター等の注文処理センター１７３に設けられる。画像表示装置１１０は、例えばパーソナルコンピュータ、キオスク端末等の情報端末であってよい。撮像装置１３０は、撮像した画像を、メモリカード等の記録メディア１６１に記録する。
【００２３】
そして、店舗１７０に設けられた画像表示装置１１０は、記録メディア１６１に記録されている画像を読み込む。そして、画像表示装置１１０は、記録メディア１６１から読み込んだ画像をプリント注文用の記録メディア１６０に記録する場合に、記録メディア１６０内において画像を識別する画像ＩＤを決定して、当該画像とともに画像ＩＤを記録メディア１６０に記録する。また、画像表示装置１１０は、記録メディア１６０に記録されている画像とともに当該画像のサムネイル画像を記録メディア１６０に記録してもよい。本実施例では、記録メディア１６０は、記録している画像をユーザ１９０が注文することを目的とした画像注文用のメディアとして使用される。なお、記録メディア１６０は、例えばＣＤ−ＲＯＭ、ＤＶＤ−ＲＯＭ等の記録媒体であってよく、メディアごとに異なる固有のＩＤ情報であるメディアＩＤが記録されている。
【００２４】
そして、ユーザ１９０が記録メディア１６０に記録された画像のプリントを注文する場合には、ユーザ１９０の自宅１７１に設けられた画像表示装置１１０は、メディアＩＤを記録メディア１６０から読み出すとともに、記録メディア１６０に記録された画像ＩＤを画像とともに読み出す。そして、画像表示装置１１０は、読み出した画像をディスプレイに表示して、ユーザ１９０からのプリント注文を受け付ける。そして、画像表示装置１１０は、プリント時に施すべき画像処理と画像のプリント枚数とを受け付けて、当該画像処理及びプリント枚数を、メディアＩＤ及び画像ＩＤとともに注文管理装置１２０に送信する。そして、注文管理装置１２０は、受信したメディアＩＤと画像ＩＤとともに、画像処理情報及びプリント枚数をハードディスク等の記録媒体に記憶する。そして、注文管理装置１２０は、注文管理装置１２０に接続された印刷機等の出力装置１８０に画像をプリントさせて、プリントされた画像をユーザ１９０に送付させる。
【００２５】
また、画像表示装置１１０は、ユーザ１９０が記録メディア１６０を利用してプリント画像を再注文する場合には、記録メディア１６０から読み取ったメディアＩＤ及び画像ＩＤを注文管理装置１２０に送信して、注文管理装置１２０が記憶している画像処理及びプリント枚数を注文管理装置１２０から受け取る。そして、画像表示装置１１０は、記録メディア１６０から読み込んだ画像のうち、注文管理装置１２０から受け取ったプリント枚数が１以上の画像を、プリント枚数が０の画像より大きく表示する。また、画像表示装置１１０は、注文管理装置１２０から受け取った画像処理を画像に施して、記録メディア１６０に記録された画像とともにディスプレイに表示する。このため、ユーザ１９０は、以前に注文した画像とその画像に施した画像処理内容とを、画像表示装置１１０の注文画面において確認することができる。したがって、ユーザ１９０は、画像管理システム１００によって、画像を容易に再注文することができる。
【００２６】
また、注文管理装置１２０は、画像自体の代わりにメディアＩＤ及び画像ＩＤを注文履歴として記憶するので、ユーザ１９０は、プライベートな画像等の個人的な情報、著作権を有する画像等を外部に提供する必要がない。このため、ユーザ１９０は画像管理システム１００を用いることによって、安心して画像のプリントを注文することができる。
【００２７】
なお、出力装置１８０は画像表示装置１１０と通信可能に接続されて店舗１７０又は自宅１７１に設けられてよく、画像表示装置１１０からの印刷オーダーに応じて画像を印刷してユーザ１９０に提供してもよい。また、出力装置１８０は、画像表示装置１１０から画像注文票１６５の印刷データを受け取って画像注文票１６５を印刷してよい。このとき、画像表示装置１１０は、注文画面における画像のレイアウトと同様に、以前に注文されたプリント枚数に応じて画像を大きく印刷したり、以前に注文された画像処理条件と同じ画像処理を施して画像を印刷してもよい。
【００２８】
図２は、画像管理システム１００のブロック構成の一例を示す。画像表示装置１１０は、ＩＤ取得部２２０、画像取得部２３０、注文履歴取得部２４０、表示態様決定部２５０、画像表示部２６０、及びプリント注文受付部２６２を備える。注文履歴取得部２４０は、注文回数取得部２４２及び画像処理情報取得部２４４を有する。注文管理装置１２０は、注文画像取得部２７０、プリント制御部２７２、納入先取得部２８０、プリント画像納入制御部２８２、及び注文履歴格納部２９０を備える。注文履歴格納部２９０は、注文回数格納部２９２及び画像処理情報格納部２９４を有する。
【００２９】
記録メディア１６０は、メディアＩＤ、並びに画像ＩＤ及び画像を記録している。画像表示装置１１０は、記録メディア１６０に記録されている画像を注文させるべく画像を表示する。注文管理装置１２０は、記録メディア１６０に記録されている画像の注文を管理する。具体的には、注文履歴格納部２９０は、記録メディア１６０を識別するメディアＩＤ、及び当該メディアＩＤで識別される記録メディア１６０に記録されている複数の画像のそれぞれを識別する複数の画像ＩＤに対応づけて、当該メディアＩＤ及び当該画像ＩＤによって識別される画像の注文履歴を格納している。
【００３０】
具体的には、注文回数格納部２９２は、記録メディア１６０に記録されている画像をプリントする旨の注文があった場合に、記録メディア１６０を識別するメディアＩＤ、及びプリントする旨の注文があった画像を識別す画像ＩＤに対応づけて、当該画像が注文された回数を示す画像処理情報を格納する。また、画像処理情報格納部２９４は、記録メディア１６０に記録されている画像に画像処理を施してプリントする旨の注文があった場合に、記録メディア１６０を識別するメディアＩＤ、及び画像処理を施してプリントする旨の注文があった画像を識別する画像ＩＤに対応づけて、当該画像に施される画像処理の内容を示す画像処理情報を格納する。
【００３１】
画像取得部２３０は、記録メディア１６０に記録されている複数の画像を取得する。このとき、ＩＤ取得部２２０は、画像取得部２３０が取得した複数の画像を識別するメディアＩＤ及び画像ＩＤを取得する。具体的には、ＩＤ取得部２２０は、記録メディア１６０に予め記録されているメディアＩＤを読み込むとともに、画像取得部２３０が取得する複数の画像のそれぞれに付帯された又は画像のそれぞれに関連づけられて格納された画像ＩＤを取得してよい。なお、記録メディア１６０には、画像内容が記録されている画像ファイルと、画像ファイルと画像ＩＤとを関連づける、画像ファイルとは異なる対応ファイルが記録されてよい。そして、ＩＤ取得部２２０は、当該対応ファイルを読み込むことによって、画像を識別する画像ＩＤを取得してよい。
【００３２】
そして、注文履歴取得部２４０は、ＩＤ取得部２２０が取得したメディアＩＤ及び画像ＩＤに対応づけて外部の注文管理装置１２０が格納している複数の画像の注文履歴を取得する。具体的には、注文履歴取得部２４０は、ＩＤ取得部２２０が取得したメディアＩＤ及び画像ＩＤに対応づけて注文履歴格納部２９０が格納している画像の注文履歴を取得する。また、注文回数取得部２４２は、ＩＤ取得部２２０が取得したメディアＩＤ及び画像ＩＤに対応づけて注文回数格納部２９２が格納している注文回数を取得する。画像処理情報取得部２４４は、ＩＤ取得部２２０が取得したメディアＩＤ及び画像ＩＤに対応づけて画像処理情報格納部２９４が格納している画像処理情報を取得する。
【００３３】
そして、表示態様決定部２５０は、注文履歴取得部２４０が取得した注文履歴に応じて、画像取得部２３０が取得した複数の画像のそれぞれの表示態様を決定する。そして、画像表示部２６０は、表示態様決定部２５０が複数の画像のそれぞれについて決定した表示態様で、複数の画像を表示する。また、画像表示部２６０は、画像取得部２３０が取得した画像に、画像処理情報取得部２４４が取得した画像処理情報によって示される画像処理に応じた処理を施して表示する。
【００３４】
具体的には、表示態様決定部２５０は、注文履歴取得部２４０が取得した注文履歴で示される注文履歴に応じて、画像取得部２３０が取得した複数の画像のそれぞれが表示部により表示される大きさを決定する。そして、画像表示部２６０は、表示態様決定部２５０が複数の画像のそれぞれについて決定した大きさで、複数の画像を表示する。より具体的には、表示態様決定部２５０は、画像取得部２３０が取得した複数の画像のそれぞれが表示部により表示される大きさを、注文履歴取得部２４０が取得した注文履歴で示される注文回数、すなわち注文回数取得部２４２が取得した注文回数がより多い場合により大きく決定する。
【００３５】
また、画像表示部２６０は、画像取得部２３０が取得した複数の画像を順次表示してよい。例えば、画像表示部２６０は、スライドショー形式で画像取得部２３０が取得した複数の画像を順次表示してよい。この場合、表示態様決定部２５０は、注文履歴取得部２４０が取得した注文履歴に応じて、画像取得部２３０が取得した複数の画像のそれぞれが画像表示部２６０により表示される表示時間を決定する。より具体的には、表示態様決定部２５０は、画像取得部２３０が取得した複数の画像のそれぞれが画像表示部２６０により表示される表示時間を、注文履歴取得部２４０が取得した注文履歴で示される注文回数がより多い場合により長く決定する。このため、画像管理システム１００は、ユーザ１９０が以前注文した画像を、ユーザ１９０に印象付けることができる形で提示することができる。
【００３６】
なお、表示態様決定部２５０は、注文回数格納部２９２が取得した注文回数に対応づけて画像注文画面において画像を表示する大きさ又は表示時間のそれぞれを記憶しており、注文回数格納部２９２が取得した注文回数に対応づけて記憶している画像の大きさ又は表示時間を選択してよい。
【００３７】
以上説明したように、表示態様決定部２５０は、注文履歴取得部２４０が取得した注文履歴で示される注文履歴に応じて、画像取得部２３０が取得した複数の画像のそれぞれを画像表示部２６０に強調させて表示する。このため、ユーザ１９０は、画像表示装置１１０に表示される画面で、以前に注文した画像を容易に確認することができる。
【００３８】
なお、画像処理情報格納部２９４は、記録メディア１６０に記録されている画像をトリミングしたトリミング画像をプリントする旨の注文があった場合に、当該画像を識別するメディアＩＤ及び画像ＩＤに対応づけて、当該トリミング画像のトリミング範囲を示す画像処理情報を格納してよい。そして、画像処理情報取得部２４４は、ＩＤ取得部２２０が取得したメディアＩＤ及び画像ＩＤに対応づけて画像処理情報格納部２９４が格納している画像処理情報によって示されるトリミング範囲を取得する。画像表示部２６０は、画像取得部２３０が取得した画像から、画像処理情報取得部２４４が取得したトリミング範囲をトリミングしたトリミング画像を表示する。このため、画像管理システム１００によると、ユーザ１９０が以前注文したトリミング画像を容易に再注文することができる。なお、画像処理情報格納部２９４が格納する画像処理情報とは、トリミング範囲の他に、ホワイトバランス調整、セピア処理等の画像の色処理、明るさ調整等の画像の輝度処理、エッジ強調等の被写体に対する処理等、様々な画像処理を含む概念である。
【００３９】
なお、画像表示部２６０は、画像取得部２３０が取得した画像に、画像処理情報取得部２４４が取得した画像処理情報によって示される画像処理に応じた処理を施して表示するとともに、画像取得部２３０が取得した画像を表示する。このため、画像表示装置１１０は、画像処理が施されていない画像も注文画面においてユーザ１９０に提示することができる。また、本実施例における画像管理システム１００では、注文管理装置１２０において画像処理情報が管理されるので、外部の注文管理装置１２０に接続された出力装置１８０の印刷機能又は印刷性能に適合した印刷用の画像処理内容を管理することができる。なお、画像処理情報取得部２４４は、注文管理装置１２０が管理している印刷用の画像処理内容が、表示用に適した画像処理内容に変換された画像処理内容を示す画像処理情報を取得してもよい。このような印刷用の画像処理内容から表示用の画像処理内容への変換は、注文管理装置１２０又は画像表示装置１１０のいずれか一方が施してよい。
【００４０】
また、プリント料金決定部２５２は、注文履歴取得部２４０が取得した注文履歴に基づいて、画像取得部２３０が取得した複数の画像のそれぞれのプリント料金を決定する。例えば、プリント料金決定部２５２は、注文回数取得部２４２が取得したに注文回数がより多い場合に、より安いプリント料金を決定する。そして、画像表示部２６０は、プリント料金決定部２５２が複数の画像のそれぞれについて決定したプリント料金を画像とともに表示する。このため、画像管理システム１００は、ユーザ１９０からの注文回数に応じてプリント料金を割り引く等して、ユーザ１９０にメリットのある形でプリントの注文を促すことができる。
【００４１】
また、サービス決定部２５４は、注文履歴取得部２４０が取得した注文履歴に基づいて、画像取得部２３０が取得した複数の画像に関して提供し得るサービスを決定する。例えば、サービス決定部２５４は、注文回数取得部２４２が取得したに注文回数が予め定められた注文回数より多い場合に、画像を外部に公開する旨のサービスを決定したり、アルバムの作成を推奨する旨を決定したりする。そして、画像表示部２６０は、サービス決定部２５４が複数の画像に関して決定したサービスを画像とともに表示する。このため、画像管理システム１００は、ユーザ１９０の注文状況に応じて望ましいサービスをユーザ１９０に提示することができる。
【００４２】
なお、サービス決定部２５４は、注文回数格納部２９２が取得した注文回数に対応づけて画像に対するサービス内容のそれぞれを記憶しており、注文回数格納部２９２が取得した注文回数に対応づけて記憶しているサービス内容を選択してよい。また、プリント料金決定部２５２は、注文ＩＤで識別される注文毎に、プリント料金を決定してよい。例えばプリント料金決定部２５２は、注文回数に対応付けてプリント料金の割引率を記憶しており、注文回数取得部２４２が取得した注文回数に対応づけて記憶している割引率をプリント料金に乗じて得られる料金をプリント料金として決定してよい。
【００４３】
プリント注文受付部２６２は、画像表示部２６０に表示されている画像の注文をユーザ１９０から受け付ける。そして、プリント注文受付部２６２は、注文された画像を注文依頼とともに注文管理装置１２０に送信する。このとき、プリント注文受付部２６２は、注文された画像を識別するメディアＩＤ及び画像ＩＤ、注文された画像を識別する画像処理情報、並びに注文された画像をプリントしたプリント画像の納入先を注文依頼とともに注文管理装置１２０に送信する。例えば、画像表示装置１１０は記録メディア１６０の作成時にプリント画像の納入先であるユーザ１９０の住所等を記録メディア１６０に記録しており、プリント注文受付部２６２は、記録メディア１６０に記録されているプリント画像の納入先を、注文依頼とともに注文管理装置１２０に送信する。
【００４４】
そして、注文画像取得部２７０は、記録メディア１６０に記録されている画像を、注文依頼とともに、画像表示装置１１０から取得する。そして、プリント制御部２７２は、注文画像取得部２７０が取得した画像をプリントさせる。また、納入先取得部２８０は、注文画像取得部２７０が取得した画像のプリント画像の納入先を、注文依頼とともに、画像表示装置１１０から取得する。そして、プリント画像納入制御部２８２は、納入先取得部２８０が取得した納入先に、プリント制御部２７２がプリントした画像を納入させる。
【００４５】
なお、注文画像取得部２７０は、記録メディア１６０に記録されている画像を、画像処理を含む注文依頼とともに、画像表示装置１１０から取得する。また、納入先取得部２８０は、画像処理が施された画像の納入先を、画像処理を含む注文依頼とともに、画像表示装置１１０から取得する。そして、プリント画像納入制御部２８２は、納入先取得部２８０が取得した納入先に、画像処理が施された画像を納入させる。そして、注文画像取得部２７０が取得した画像に、注文依頼に含まれる画像処理を施してプリントさせる。
【００４６】
このように、注文管理装置１２０は画像を格納しておらず、画像表示装置１１０から送信されるメディアＩＤ及び画像ＩＤにより、画像の注文を集中的に管理する。また、注文管理装置１２０は、画像の所有者の個人情報を格納しておらず、画像表示装置１１０からの画像の注文時に送信されるプリント画像の納入先に、プリント画像を納入する。このため、画像管理システム１００では、画像、プリント画像の納入先等の個人的な情報をユーザ１９０が外部に提供する必要はないので、ユーザ１９０は安心して画像を注文することができる。
【００４７】
なお、以上の説明においては、ユーザ１９０にプリント注文させる画像を画像表示装置１１０が表示する場合について説明したが、画像表示装置１１０は、注文履歴取得部２４０が取得した注文履歴に応じて、画像取得部２３０が取得した複数の画像のそれぞれの印刷態様を決定し、複数の画像のそれぞれについて決定した印刷態様で複数の画像を印刷された画像注文票１６５を出力してよい。その他、上記注文履歴に応じて注文させる画像を表示する場合と同様に、画像表示装置１１０は、注文履歴に応じて決定される料金を画像注文票１６５に印刷する等してよいことは言うまでもない。
【００４８】
図３は、注文履歴取得部２４０が格納する注文履歴をテーブル形式で示す。注文履歴取得部２４０は、メディアＩＤ、画像ＩＤ、画像処理情報、注文ＩＤ、及び注文回数を格納する。具体的には、注文履歴取得部２４０は、プリント注文受付部２６２から送信されたプリント注文された画像を識別するメディアＩＤ及び画像ＩＤを、それぞれメディアＩＤ及び画像ＩＤを示すフィールドデータとして格納する。また、注文履歴取得部２４０は、画像処理情報を示すフィールドデータとして、プリント注文受付部２６２からの注文依頼における画像処理情報を格納する。また、注文履歴取得部２４０は、メディアＩＤ及び画像ＩＤで識別される画像と画像処理情報との組み合わせで注文依頼があった注文回数を、注文回数を示すフィールドデータとして格納する。なお、注文履歴取得部２４０は、プリントする旨の画像の枚数を注文回数として格納してよい。また、注文履歴取得部２４０は、メディアＩＤ及び画像ＩＤで識別される画像において、プリント注文における画像処理情報の組合せを識別する注文ＩＤを、注文ＩＤを示すフィールドデータとして格納する。
【００４９】
なお、注文履歴格納部２９０は、画像表示装置１１０から送信されるメディアＩＤ及び画像ＩＤをそのまま格納してもよいし、注文管理装置１２０において所定の暗号化手段等によって変換したメディアＩＤ及び画像ＩＤを格納してもよい。他にも、注文履歴格納部２９０は、画像表示装置１１０において暗号化されて画像表示装置１１０から送信されたメディアＩＤ及び画像ＩＤを格納してもよい。なお、本図の例における注文回数及び画像処理情報で示されるフィールドデータは、本実施例における注文回数格納部２９２及び画像処理情報格納部２９４が格納する注文回数及び画像処理情報を示す。
【００５０】
画像処理情報格納部２９４は、記録メディア１６０から読み出した画像について以前のプリント注文時の画像処理を、注文履歴格納部２９０からメディアＩＤ及び画像ＩＤから取得することができる。また、注文回数格納部２９２は、メディアＩＤ及び画像ＩＤで識別される画像についての注文回数を注文履歴格納部２９０から取得することができる。なお、注文履歴取得部２４０は、メディアＩＤ及び画像ＩＤで識別される画像に対応付けて注文履歴格納部２９０が格納する注文ＩＤを取得してよい。そして、注文回数格納部２９２は、メディアＩＤ及び画像ＩＤで識別される画像についての、画像処理毎の注文回数、すなわち注文ＩＤ毎の注文回数を、注文履歴格納部２９０から取得することができる。
【００５１】
なお、プリント料金決定部２５２は、注文ＩＤで識別される注文毎にプリント料金を決定してよい。例えばプリント料金決定部２５２は、注文回数に応じたプリント料金の割引率と、画像処理の内容に応じたプリント料金を予め記憶している。そして、プリント料金決定部２５２は、画像処理情報取得部２４４が取得した画像処理の内容に応じたプリント料金に、注文回数取得部２４２が取得した注文回数に応じたプリント料金の割引率を乗じた値を、プリント料金として決定してよい。
【００５２】
図４は、画像表示部２６０が表示する注文画面４００の一例を示す。画像表示部２６０は、記録メディア１６０から各画像のサムネイル画像を読み込んで、注文画面４００の画像表示領域４１１〜４１５に表示する。画像表示領域４１１〜４１５の位置は、記録メディア１６０に予め記録されてもよい。なお、画像表示部２６０は、サムネイル画像に代えて、記録メディア１６０に記録された画像を画像表示領域４１１〜４１５に表示してもよい。本図の例では、画像表示領域４１３及び画像表示領域４１５に表示される画像はプリント注文が以前になされており、表示態様決定部２５０はそれらの画像の注文画面４００における大きさを、以前に注文されていない画像（画像表示領域４１１、４１２、及び４１５に表示される画像）より大きく決定する。なお、画像表示部２６０は、画像表示領域４１３及び画像表示領域４１５の外枠を画像表示領域４１１、４１２、及び４１５より太くしたり、明るくしたりする等して強調することによって、画像表示領域４１３及び画像表示領域４１５に表示される画像を強調して表示してもよい。
【００５３】
また、画像表示部２６０は、画像表示領域４１１〜４１５に表示された画像と関連づけてユーザ１９０に視認させるべく、画像表示領域４１１〜４１５のそれぞれの近傍の料金表示領域４２１〜４２５に、プリント料金決定部２５２がそれぞれの画像について決定したプリント料金を表示する。また、画像表示部２６０は、画像表示領域４１１〜４１５に表示された画像と関連づけてユーザ１９０に視認させるべく、画像表示領域４１１〜４１５のそれぞれの近傍にプリント枚数選択ボタン４３１〜４３５及び注文ボタン４４１〜４４５を表示する。そして、プリント注文受付部２６２は、プリント枚数選択ボタン４３１〜４３５によってユーザ１９０からプリント枚数の指示を受け付けるとともに、注文ボタン４４１〜４４５の押下によって画像をプリントする旨の注文指示を受け付ける。そして、プリント注文受付部２６２は、注文指示を受け付けた画像、メディアＩＤ、画像ＩＤ、及びプリント枚数を、印刷依頼とともに通信回線１５０を介して注文管理装置１２０に送信する。そして、注文画像取得部２７０は、プリント注文受付部２６２から送信される画像、メディアＩＤ、画像ＩＤ、及びプリント枚数を受信する。そして、プリント制御部２７２は、注文画像取得部２７０が受け取った画像を出力装置１８０に印刷させる。
【００５４】
また、画像表示部２６０は、サービス決定部２５４が決定したサービスをサービス内容表示領域４５１〜４５５に表示する。本図の例では、サービス決定部２５４は、画像表示領域４１３に表示される画像に対してオンライン公開を許可する旨を決定しており、画像表示部２６０は画像表示領域４１３の近傍のサービス内容表示領域４５３にオンライン公開ボタン４５３ａを表示する。また、サービス決定部２５４は、画像表示領域４１５に表示される画像に対してオンライン公開を許可するサービスの他に、アルバムを作成するサービスを決定しており、画像表示部２６０は画像表示領域４１５の近傍のサービス内容表示領域４５５にオンライン公開ボタン４５５ａ及びアルバム作成ボタン４５５ｂを表示する。
【００５５】
画像表示装置１１０は、アルバム作成ボタン４５５ｂが押下されると、注文管理装置１２０にアルバムを作成する旨の依頼とともに、画像を注文管理装置１２０に送信する。また、画像表示装置１１０は、オンライン公開ボタン４５３ａ、４５５ａが押下されると、注文管理装置１２０に画像を公開する旨の依頼を注文管理装置１２０に送信する。なお、注文履歴格納部２９０は、プリント注文の履歴を格納する場合と同様に、上記のオンライン公開する旨又はアルバムを作成する旨の注文があった場合に、当該注文の履歴を、メディアＩＤ及び画像ＩＤと対応づけて格納してよいことは言うまでもない。また、画像表示装置１１０の表示デバイスにはタッチパネル機能が備えられており、プリント注文受付部２６２はユーザ１９０によるタッチパネルの操作によってプリント注文及びプリント枚数の指示を受け付けてよい。
【００５６】
以上説明したように、画像表示装置１１０は、以前注文された画像を強調してユーザ１９０に提示することができるので、ユーザ１９０は以前に注文した画像とそうでない画像とを容易に識別することができる。なお、本図の注文画面４００は、画像表示装置１１０が注文用の表示要素をディスプレイ等に表示する場合の画面の一例であるが、画像表示装置１１０は、本図で説明した表示要素と同様の表示要素を、同様のレイアウトで画像注文票１６５に印刷して出力装置１８０に印刷させてもよい。
【００５７】
図５は、画像表示部２６０がスライドショー形式で画像を表示する表示画面５００の一例を示す。画像表示部２６０は、記録メディア１６０に記載されている画像をスライドショー形式で画像表示領域５１０に順次表示していく。また、画像表示部２６０は、画像表示領域５１０に表示した画像に、画像処理情報取得部２４４が取得した画像処理を施した画像を、処理画像表示領域５１１及び５１２に表示する。なお、記録メディア１６０には、画像表示領域５１０及び処理画像表示領域５１１及び５１２の位置が予め記録されてよい。
【００５８】
なお、画像表示部２６０は、本図の例のようなスライドショー形式で画像を順次表示する場合においても、図４に関連して説明したような画像のプリント料金を示す料金表示領域、画像のプリント枚数選択ボタン、画像を注文する旨を示す注文ボタン、サービス内容表示領域を表示してよいことは言うまでもない。
【００５９】
なお、前述したように、画像表示部２６０は、画像表示領域５１０に表示する画像のそれぞれについて、注文履歴で示される注文回数に応じて決定された表示時間の間、画像表示領域５１０に表示する。例えば、画像表示部２６０は、注文履歴で示される注文回数が多いほどより長く画像表示領域５１０に表示する。また、画像表示部２６０は、注文履歴で示される注文回数が多いほどより大きく画像表示領域５１０に表示してもよい。したがって、画像表示装置１１０は、プリント注文された画像のようにユーザ１９０にとってより意味のある画像を、ユーザ１９０に印象づけて閲覧させることができる。
【００６０】
なお、表示態様決定部２５０は、画像表示部２６０に表示させる順番を、画像の注文回数に応じて決定してよい。具体的には、表示態様決定部２５０は、画像の注文履歴で示される注文回数に関する降順又は昇順で、画像を画像表示部２６０に表示させてよい。これにより、表示態様決定部２５０は、ユーザ１９０が画像の再注文を主として希望する場合においては、注文回数に関して降順に表示するよう決定することによって、ユーザ１９０は望ましい順番で画像を閲覧することができる。また、表示態様決定部２５０は、ユーザ１９０が主として新たな画像の注文を希望する場合においては、注文回数に関して昇順に表示するよう決定することによって、ユーザ１９０は望ましい順番で画像を閲覧することができる。
【００６１】
なお、記録メディア１６０には、画像表示領域５１０に表示される順番が予め画像ＩＤに対応づけて予め記録されていてよい。そして、表示態様決定部２５０は、いずれの画像に対してもプリント注文がなされていない場合には、記録メディア１６０に記録された順番で画像が画像表示部２６０に表示されるよう表示順序を決定してよい。以上説明したように、画像表示装置１１０は、ユーザ１９０の注文回数に応じて適切な態様で画像を表示することができる。
【００６２】
図６は、画像表示部２６０が表示する注文画面６００の他の一例を示す。本図の例における注文画面６００は、画像処理を施した処理画像を、記録メディア１６０から取得した画像とともにユーザ１９０に提示する注文画面の一例である。画像表示部２６０は、記録メディア１６０から各画像のサムネイル画像を読み込んで、注文画面６００の画像表示領域６１１、６１２に表示する。本図の例では、画像表示領域６１１及び画像表示領域６１２に表示される画像に対して、画像処理を施した画像のプリント注文が以前になされている。
【００６３】
この場合、画像表示部２６０は、画像表示領域６１１の近傍の処理画像表示領域６２１及び６２２に、画像表示領域６１１に表示されたサムネイル画像に対して画像処理情報格納部２９４が取得した画像処理を施して処理画像を生成して、生成した処理画像を表示する。同様に、画像表示部２６０は、画像表示領域６１２の近傍の処理画像表示領域６２３及び６２４に、画像表示領域６１２に表示されたサムネイル画像に対して画像処理情報格納部２９４が取得した画像処理が施して処理画像を生成し、生成した処理画像を表示する。
【００６４】
また、画像表示部２６０は、画像表示領域６１１及び６１２に表示された画像と関連づけてユーザ１９０に視認させるべく、画像表示領域６１１及び６１２のそれぞれの近傍の料金表示領域６３１及び６３２に、プリント料金決定部２５２がそれぞれの画像について決定したプリント料金を表示する。また、画像表示部２６０は、画像表示領域６１１及び６１２に表示された画像と関連づけてユーザ１９０に視認させるべく、画像表示領域６１１及び６１２のそれぞれの近傍にプリント枚数選択ボタン６４１及び６４２並びに注文ボタン６５１及び６５２を表示する。そして、プリント注文受付部２６２は、プリント枚数選択ボタン６４１及び６４２によってユーザ１９０からプリント枚数の指示を受け付けるとともに、注文ボタン６５１及び６５２の押下によって画像をプリントする旨の注文指示を受け付ける。
【００６５】
また、画像表示部２６０は、処理画像表示領域６２１〜６２４に表示された処理画像と関連づけてユーザ１９０に視認させるべく、画像表示領域６２１〜６２４の近傍の料金表示領域６６１〜６６４に、プリント料金決定部２５２がそれぞれの処理画像について決定したプリント料金を表示する。また、画像表示部２６０は、画像表示領域６２１〜６２４に表示された処理画像と関連づけてユーザ１９０に視認させるべく、画像表示領域６２１〜６２４のそれぞれの近傍にプリント枚数選択ボタン６７１〜６７４並びに注文ボタン６８１〜６８４を表示する。そして、プリント注文受付部２６２は、プリント枚数選択ボタン６７１〜６７４によってユーザ１９０から処理画像についてのプリント枚数の指示を受け付けるとともに、注文ボタン６８１〜６８４の押下によって処理画像のプリントを注文する旨の指示を受け付ける。
【００６６】
なお、プリント注文受付部２６２がユーザ１９０から画像のプリント注文を受け付けた場合の動作は、図４に関連して説明したプリント注文受付部２６２の動作と同様に、画像、メディアＩＤ、画像ＩＤ、プリント枚数等を注文依頼とともに注文管理装置１２０に送信する。
【００６７】
また、処理画像のプリント注文における画像管理システム１００の動作の一例を説明すると、注文履歴取得部２４０は、処理画像のそれぞれに関連する注文を示す注文ＩＤを注文履歴格納部２９０から取得して、取得した注文ＩＤを記憶しておく。そして、プリント注文受付部２６２は、処理画像についての注文指示を受け付けた場合には、プリント注文される処理画像に関する画像、メディアＩＤ、画像ＩＤ、注文ＩＤ、及びプリント枚数を印刷依頼とともに通信回線１５０を介して注文管理装置１２０に送信する。注文画像取得部２７０はプリント注文受付部２６２から画像、メディアＩＤ、画像ＩＤ、注文ＩＤ、及びプリント枚数を受信する。プリント制御部２７２は、注文画像取得部２７０が受信したメディアＩＤ、画像ＩＤ、及び注文ＩＤに対応づけて注文履歴格納部２９０が格納する画像処理を選択して、選択した画像処理を注文画像取得部２７０が受信した画像に対して施して出力装置１８０に印刷させる。
【００６８】
なお、画像表示部２６０は、図４に関連して説明したように、サービス決定部２５４が処理画像に対して決定したサービスを、処理画像に対して提示してよいことは言うまでもない。以上説明したように、画像表示装置１１０は、以前に注文された処理画像を、記録メディア１６０に記録されている画像とともにユーザ１９０に提示することができるので、ユーザ１９０は以前に注文した画像処理と同じ画処理が施された画像のプリントを容易に再注文することができる。なお、本図の注文画面６００は、画像表示装置１１０が注文用の表示要素をディスプレイ等に表示する場合の画面の一例であるが、画像表示装置１１０は、本図で説明した表示要素と同様の表示要素を、同様のレイアウトで画像注文票１６５に印刷して出力装置１８０に印刷させてもよい。
【００６９】
以上説明したように、画像管理システム１００によれば、ユーザ１９０は画像、住所等の個人的な情報を予め外部に提供する必要がないので、安心して画像をプリント注文することができる。また、画像管理システム１００は、ユーザ１９０の注文履歴に応じた望ましい注文環境を提供することができる。
【００７０】
図７は、画像表示装置１１０及び注文管理装置１２０のハードウェア構成の一例を示す。画像表示装置１１０及び注文管理装置１２０は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００７１】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００７２】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラムまたはデータを送受信する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００７３】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、画像表示装置１１０及び注文管理装置１２０が起動時に実行するブート・プログラムや、画像表示装置１１０及び注文管理装置１２０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００７４】
ＣＰＵ１５０５が実行するプログラムは、フレキシブルディスク１５９０、ＣＤ−ＲＯＭ１５９５、またはＩＣカード等の記録メディアに格納されて利用者によって提供される。記録メディアに格納されたプログラムは圧縮されていても非圧縮であってもよい。プログラムは、記録メディアからハードディスクドライブ１５４０にインストールされ、ＲＡＭ１５２０に読み出されてＣＰＵ１５０５により実行される。
【００７５】
ＣＰＵ１５０５により実行されるプログラムは、第１の実施例における画像表示装置１１０を、図１から図６にかけて説明したＩＤ取得部２２０、画像取得部２３０、注文履歴取得部２４０、表示態様決定部２５０、画像表示部２６０、及びプリント注文受付部２６２として機能させる。また当該プログラムは、注文履歴取得部２４０を、図１から図６にかけて説明した注文回数取得部２４２及び画像処理情報取得部２４４として機能させる。また、当該プログラムは、注文管理装置１２０を、図１から図６にかけて説明した注文画像取得部２７０、プリント制御部２７２、納入先取得部２８０、プリント画像納入制御部２８２、及び注文履歴格納部２９０として機能させる。また、当該プログラムは、注文履歴格納部２９０を、図１から図６にかけて説明した注文回数格納部２９２及び画像処理情報格納部２９４として機能させる。
【００７６】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録メディア、ＭＤ等の光磁気記録メディア、テープ媒体、ＩＣカード等の半導体メモリ等を用いることができる。また、専用通信ネットワークやインターネットに接続されたサーバシステムに設けたハードディスクまたはＲＡＭ等の記憶装置を記録メディアとして使用し、ネットワークを介してプログラムを画像表示装置１１０及び注文管理装置１２０に提供してもよい。
【００７７】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００７８】
【図１】画像管理システム１００の利用環境の一例を示す図である。
【図２】画像管理システム１００のブロック構成の一例を示す図である。
【図３】注文履歴取得部２４０が格納する注文履歴をテーブル形式で示す図である。
【図４】画像表示部２６０が表示する注文画面４００の一例を示す図である。
【図５】画像表示部２６０がスライドショー形式で画像を表示する表示画面５００の一例を示す図である。
【図６】画像表示部２６０が表示する注文画面６００の他の一例を示す図である。
【図７】画像表示装置１１０及び注文管理装置１２０のハードウェア構成を示すブロック図である。
【符号の説明】
【００７９】
１００  画像管理システム
１１０  画像表示装置
１２０  注文管理装置
１３０  撮像装置
１５０  通信回線
１６０  記録メディア
１６１  記録メディア
１６５  画像注文票
１８０  出力装置
１９０  ユーザ
２２０  ＩＤ取得部
２３０  画像取得部
２４０  注文履歴取得部
２４２  注文回数取得部
２４４  画像処理情報取得部
２５０  表示態様決定部
２５２  プリント料金決定部
２５４  サービス決定部
２６０  画像表示部
２６２  プリント注文受付部
２７０  注文画像取得部
２７２  プリント制御部
２８０  納入先取得部
２８２  プリント画像納入制御部
２９０  注文履歴格納部
２９２  注文回数格納部
２９４  画像処理情報格納部
【図１】
0004741416.tif 000002
【図２】
0004741416.tif 000003
【図３】
0004741416.tif 000004
【図４】
0004741416.tif 000005
【図５】
0004741416.tif 000006
【図６】
0004741416.tif 000007
【図７】
0004741416.tif 000008